(57)【特許請求の範囲】
【請求項１】
取得した閉ループネットワークのトポロジー構造、機器パラメータおよび前記閉ループネットワークの閉ループ前のリアルタイム動作データに基づき、高圧電力配電回路網に対して状態推定を行い、２本の閉ループ給電線先頭における１０ｋＶバスバーの電圧振幅および位相角を得ることと、
２本の閉ループ給電線の各負荷点における有効負荷が給電線先頭における有効電力に対する比、および前記閉ループ給電線の各負荷点における無効負荷が給電線先頭における無効電力に対する比を入力変数として選択し、各負荷点における歴史負荷データに基づいて各入力変数の多段キュムラントを計算することと、
前記２本の閉ループ給電線先頭における１０ｋＶバスバーの電圧振幅および位相角に基づき、基準動作点において決定性トレンドおよび閉ループ電流の計算を行い、閉ループネットワークシステムの状態変数基準値および閉ループ電流基準値を得、前記閉ループネットワークシステムの状態変数基準値および閉ループ電流基準値に基づいて変換行列を得ることと、
前記各入力変数の多段キュムラントおよび前記変換行列に基づいて閉ループ電流の多段キュムラントを計算することと、
前記閉ループ電流の多段キュムラントに基づいて前記閉ループ電流の累積確率分布を求めることと、
給電線最大許容容量および電流保護整定値を限定値として、前記累積確率分布に基づいて各閉ループ電流の限界確率を計算し、複数の前記限界確率がいずれも予め設定された閾値より小さい場合、閉ループ操作が安全性を有することを確定することとを含む、中圧電力配電回路網閉ループ操作の安全性を評価する方法。
【請求項２】
取得した閉ループネットワークのトポロジー構造、機器パラメータおよび前記閉ループネットワークの閉ループ前のリアルタイム動作データに基づき、高圧電力配電回路網に対して状態推定を行い、２本の閉ループ給電線先頭における１０ｋＶバスバーの電圧振幅および位相角を得ることは、
取得した閉ループネットワークのトポロジー構造、機器パラメータおよび前記閉ループネットワークの閉ループ前のリアルタイム動作データに基づき、重み付け最小自乗法を用いて高圧電力配電回路網の状態推定を行い、２本の閉ループ給電線先頭における１０ｋＶバスバーの電圧振幅および位相角を得ながら、不良測定データを識別・修正することを含む、請求項１に記載の方法。
【請求項３】
0006839769.tif 000024
【請求項４】
0006839769.tif 000025
【請求項５】
0006839769.tif 000026
【請求項６】
0006839769.tif 000027
0006839769.tif 000028
0006839769.tif 000029
【請求項７】
0006839769.tif 000030
【請求項８】
0006839769.tif 000031
【請求項９】
0006839769.tif 000032
【発明の詳細な説明】
【技術分野】
【０００１】
本発明は、電力システムの安全・安定的な動作の分野に関し、例えば、中圧電力配電回路網閉ループ操作の安全性を評価する方法に関する。
【背景技術】
【０００２】
中圧電力配電回路網としては、閉ループ設計、開ループ動作の給電モードが用いられている。正常の場合、接続スイッチを入れて、電力配電回路網が輻射構造で動作し、機器メンテナンスや事故処理時に、接続スイッチの閉ループ操作により停電せずに負荷を転移することを実現することができる。中圧電力配電回路網の閉ループ操作は、閉ループネットワークにおいて大きな閉ループ電流を発生し、回路電流保護動作やある電気機器の過負荷を起こし、より大きな範囲の停電事故を招くことがある。そのため、作業員は閉ループ操作をする前に、閉ループ操作の安全性を評価する必要がある。
【０００３】
現在、系統的な中圧電力配電回路網閉ループ操作の安全性についての評価方法がないため、実際の生産において、作業員は一般的な経験によって閉ループ操作が安全であるか否かを判断しており、相応する理論的なサポートが欠如し、的確性が低い。
【発明の概要】
【０００４】
本発明は、中圧電力配電回路網閉ループ操作の安全性評価の的確性が低いという問題を解決するために、中圧電力配電回路網閉ループ操作の安全性を評価する方法を提供する。
【０００５】
一実施例において、本発明は、閉ループ給電線の負荷点における負荷をランダム変数と見なし、確率トレンド理論に基づいて閉ループ定常電流と過渡衝撃電流の限界確率を求めて閉ループ操作の安全性を評価する、中圧電力配電回路網閉ループ操作の安全性を評価する方法であって、
取得した閉ループネットワークのトポロジー構造、機器パラメータおよび前記閉ループネットワークの閉ループ前のリアルタイム動作データに基づき、高圧電力配電回路網に対して状態推定を行い、２本の閉ループ給電線先頭における１０ｋＶバスバーの電圧振幅および位相角を得ることと、
閉ループ給電線ごとの各負荷点における有効負荷が給電線先頭における有効電力に対する比、および閉ループ給電線の各負荷点における無効負荷が給電線先頭における無効電力に対する比を入力変数として選択し、各負荷点における歴史負荷データに基づいて各入力変数の多段キュムラント（Ｍｕｌｔｉ−ｏｒｄｅｒ  ｓｅｍｉ−ｉｎｖａｒｉａｎｔ）を計算することと、
前記２本の閉ループ給電線先頭における１０ｋＶバスバーの電圧振幅および位相角に基づき、基準動作点において決定性トレンドおよび閉ループ電流の計算を行い、閉ループネットワークシステムの状態変数基準値および閉ループ電流基準値を得、閉ループネットワークシステムの状態変数基準値および閉ループ電流基準値に基づいて変換行列を得ることと、
前記各入力変数の多段キュムラントおよび前記変換行列に基づいて閉ループ電流の多段キュムラントを計算することと、
前記閉ループ電流の多段キュムラントに基づいて閉ループ電流の累積確率分布を求めることと、
給電線最大許容容量および電流保護整定値を限定値として、累積確率分布に基づいて各閉ループ電流の限界確率を計算し、複数の限界確率がいずれも予め設定された閾値より小さい場合、閉ループ操作が安全性を有することを確定することと、を含む中圧電力配電回路網閉ループ操作の安全性を評価する方法を開示する。
【図面の簡単な説明】
【０００６】
【図１】本発明における中圧電力配電回路網閉ループ操作の模式図である。
【図２】本発明における中圧電力配電回路網閉ループ操作の安全性を評価する方法のフローチャートである。
【図３】本発明における中圧電力配電回路網閉ループ操作の安全性を評価する方法の技術ロードマップである。
【発明を実施するための形態】
【０００７】
本発明は、中圧電力配電回路網閉ループ操作の安全性を評価する方法を開示し、以下、図面と具体的な実施形態を結び付けて本発明を更に説明する。
【０００８】
実際の生産において、作業員は、一般的に経験によって以下の場合の閉ループ操作が安全であると考えている。
（１）閉ループ前に、接続スイッチ両側のブレイクが所在する給電線における１０ｋＶバスバーの電圧振幅の差が１０％より小さい。
（２）閉ループ前に、接続スイッチ両側の給電線における負荷の差が小さく、且つ総負荷がいずれかの給電線における伝送容量の上限より大きくない。
【０００９】
したがって、安全性を保証するために、中圧電力配電回路網の閉ループの負荷転移操作は、負荷が小さい夜で行われることが多い。
【００１０】
しかしながら、このような生産経験に基づく評価方法は、相応する理論的なサポートが欠如する。理論的な分析から分かるように、閉ループ電流の大きさは、接続スイッチブレイク両側の電圧振幅の差および位相角の差に大きく影響される。そのため、閉ループ点両側の１０ｋＶバスバーの電圧振幅の差だけで閉ループ操作の安全性の評価を行うことは、科学的な依拠が欠如する。また、閉ループ給電線の総負荷と回路伝送容量の上限とを比較する方法によって、閉ループの安全性の評価結果が保守的となり、最終的な閉ループ対策の制定に対する参照価値に限界がある。
【００１１】
関連研究において、閉ループ定常電流および過渡衝撃電流の計算によって閉ループの安全性の評価を行うことが提出されているが、関連技術において電力配電回路網の測定装置の配置範囲に限界があるので、電力配電回路網における１０ｋＶバスバーの電圧位相角の情報および接続スイッチブレイク両側の電圧振幅および位相角の差を取得することができず、また、閉ループ電流の計算に必要となる給電線の各負荷点におけるリアルタイム負荷データを取得することもできないため、これらの研究の実用性が制限される。
【００１２】
本発明は、電力配電回路網におけるバスバーの電圧位相角データを取得できないという問題に対して、高圧電力配電回路網に対して状態推定を行う方法を用いてバスバーの位相角情報を得る。閉ループ電流の計算に必要となる給電線の負荷点におけるリアルタイム負荷データを取得できないという問題に対して、まず、歴史負荷データに基づいて各負荷点における負荷値の確率分布特性を分析した後、確率トレンド理論に基づき、キュムラント法を用いて閉ループ電流の累積分布曲線を求め、最後に閉ループ電流の限界確率を求めることにより閉ループ操作の安全性を評価する。
【００１３】
図１に示すように、システム送電網（２２０ｋＶおよびそれ以上の電圧レベルの電力網）が環状構造となって動作し、１１０ｋＶおよびそれ以下の電圧レベルの電力配電回路網が開ループで動作する。Ｑ１およびＱ２は、それぞれ接続スイッチ両側の給電線の出口遮断器である。２本の１０ｋＶ給電線同士は接続スイッチＱ３により接続され、システムが正常に動作する場合、接続スイッチＱ３が切断され、動作形態を調整し、或いは緊急事故を処理する場合、接続スイッチＱ３が入り、閉ループにより負荷ホットターンを行うことができる。
【００１４】
図２に示すように、本発明は、
取得した閉ループネットワークのトポロジー構造、機器パラメータおよび閉ループネットワークの閉ループ前のリアルタイム動作データに基づき、高圧電力配電回路網に対して状態推定を行い、２本の閉ループ給電線先頭における１０ｋＶバスバーの電圧振幅および位相角を得るＳ１０と、
閉ループ給電線ごとの各負荷点における有効負荷が給電線先頭における有効電力に対する比、および前記閉ループ給電線の各負荷点における無効負荷が給電線先頭における無効電力に対する比を入力変数として選択し、各負荷点における歴史負荷データに基づいて各入力変数の多段キュムラントを計算するＳ２０と、
前記２本の閉ループ給電線先頭における１０ｋＶバスバーの電圧振幅および位相角に基づき、基準動作点において決定性トレンドおよび閉ループ電流の計算を行い、閉ループネットワークシステムの状態変数基準値および閉ループ電流基準値を得、前記閉ループネットワークシステムの状態変数基準値および前記閉ループ電流基準値に基づいて変換行列を得るＳ３０と、
前記各入力変数の多段キュムラントおよび前記変換行列に基づいて閉ループ電流の多段キュムラントを計算するＳ４０と、
前記閉ループ電流の多段キュムラントに基づいて前記閉ループ電流の累積確率分布を求めるＳ５０と、
給電線最大許容容量および電流保護整定値を限定値として、前記累積確率分布に基づいて各閉ループ電流の限界確率を計算し、複数の前記限界確率がいずれも予め設定された閾値より小さい場合、閉ループ操作が安全性を有することを確定するＳ６０と、を含む、中圧電力配電回路網閉ループ操作の安全性を評価する方法を提供する。
【００１５】
一実施例において、取得した閉ループネットワークのトポロジー構造、機器パラメータおよび前記閉ループネットワークの閉ループ前のリアルタイム動作データに基づき、高圧電力配電回路網に対して状態推定を行い、２本の閉ループ給電線先頭における１０ｋＶバスバーの電圧振幅および位相角を得ることは、
取得した閉ループネットワークのトポロジー構造、機器パラメータおよび前記閉ループネットワークの閉ループ前のリアルタイム動作データに基づき、重み付け最小自乗法を用いて高圧電力配電回路網の状態推定を行い、２本の閉ループ給電線先頭における１０ｋＶバスバーの電圧振幅および位相角を得ながら、不良測定データを識別・修正することを含む。
【００１６】
0006839769.tif 000002
【００１７】
0006839769.tif 000003
【００１８】
0006839769.tif 000004
【００１９】
0006839769.tif 000005
【００２０】
0006839769.tif 000006
【００２１】
0006839769.tif 000007
【００２２】
0006839769.tif 000008
【００２３】
0006839769.tif 000009
【００２４】
0006839769.tif 000010
【００２５】
0006839769.tif 000011
【００２６】
図３に示すように、本発明に係る中圧電力配電回路網閉ループ操作の安全性を評価する方法は、以下を含む。
【００２７】
ステップＡ、高圧電力配電回路網の状態推定を行う。
【００２８】
ステップＡでは、閉ループネットワークのトポロジー構造、機器パラメータおよび閉ループネットワーク閉ループ前のリアルタイム動作データを取得することに加えて、高圧電力配電回路網に対して状態推定を行い、２本の閉ループ給電線先頭における１０ｋＶバスバーの電圧振幅および位相角を得る。
【００２９】
具体的には、中圧電力配電回路網閉ループ電流の計算を行う場合、一般的に閉ループ給電線先頭における１０ｋＶバスバーのノードを参照ノードとして選択するため、接続スイッチ両側の１０ｋＶバスバーの電圧振幅および位相角を知る必要がある。現在、中圧電力配電回路網の測定システムは、電圧振幅値を採集することはできるが、依然としてその位相角の情報を取得することができない。これに対して、閉ループネットワークにおける送電網および高圧電力配電回路網のトポロジー構造、機器パラメータおよび閉ループ前リアルタイム動作データを取得することに加えて、重み付け最小自乗法（Ｗｅｉｇｈｔｅｄ  Ｌｅａｓｔ  Ｓｑｕａｒｅｓ、ＷＬＳ）を用いて高圧電力配電回路網の状態推定を行う。当該重み付け最小自乗法は、モデルがシンプルであり、計算量が小さいという利点を有するため、高圧電力配電回路網の状態推定により、閉ループ給電線先頭における１０ｋＶバスバーの電圧振幅および位相角を得ることができながら、不良測定データを識別・修正することができる。
【００３０】
ステップＢ、入力変数の多段キュムラントの計算を行う。
【００３１】
ステップＢでは、閉ループ給電線ごとの各負荷点における有効負荷が給電線先頭における有効電力に対する比、および閉ループ給電線の各負荷点における無効負荷が給電線先頭における無効電力に対する比を入力変数として選択し、各負荷点における全年９６点の日負荷歴史データに基づき、各入力変数の閉ループタイミングが所在する季節および時間帯内における多段キュムラントを計算する。
【００３２】
具体的には、中圧電力配電回路網の閉ループ操作前に、各負荷点におけるリアルタイム負荷は一般的に取得しにくい。これに対して、各負荷点における負荷値をランダム変数と見なし、当該負荷点における有効負荷が給電線先頭における有効電力に対する比、および閉ループ給電線の当該負荷点における無効負荷が給電線先頭における無効電力に対する比を入力変数として選択して確率トレンドの計算を行う。入力変数の多段キュムラントを求める場合、従来の方法は、変数の確率分布関数に基づき、数値方法を用いて求めるものである。しかしながら、工程において、これらの入力変数の分布関数は未知である。そのため、本発明は、歴史負荷データに基づいて入力変数の多段キュムラントを求める方法を用いる。当該方法の説明は、以下の通りである。
【００３３】
0006839769.tif 000012
【００３４】
0006839769.tif 000013
【００３５】
0006839769.tif 000014
【００３６】
ステップＣ、決定性トレンドおよび閉ループ電流の計算を行う。
【００３７】
ステップＣでは、閉ループネットワークのトポロジー情報と動作データを結び付けて、基準動作点において決定性トレンドおよび閉ループ電流の計算を行い、閉ループネットワークシステムの状態変数基準値、閉ループ電流基準値および係数行列を得る。
【００３８】
0006839769.tif 000015
【００３９】
0006839769.tif 000016
【００４０】
0006839769.tif 000017
【００４１】
0006839769.tif 000018
【００４２】
0006839769.tif 000019
【００４３】
0006839769.tif 000020
【００４４】
ステップＤ、閉ループ電流の多段キュムラントを計算する。
【００４５】
ステップＤでは、ステップＢによる入力変数の多段キュムラントおよびステップＣによる変換行列に基づいて閉ループ電流の多段キュムラントを計算する。
【００４６】
0006839769.tif 000021
【００４７】
ステップＥ、閉ループ電流の確率分布を求める。
【００４８】
ステップＥでは、コーニッシュフィッシャーＣｏｒｎｉｓｈ−Ｆｉｓｈｅｒ級数展開方法を用いて、閉ループ電流の多段キュムラントに基づいて閉ループ電流の累積確率分布を求める。
【００４９】
0006839769.tif 000022
【００５０】
式（１１）は、閉ループ電流の多段キュムラントに基づいてその累積確率分布関数を求めてもよい。
【００５１】
ステップＦ、複数の閉ループ電流の限界確率を評価する。
【００５２】
ステップＦでは、安全的な閉ループ条件に基づき、それぞれ給電線最大許容容量および電流保護整定値を限定値として、各閉ループ電流の限界確率を計算し、閉ループ操作の安全性を評価する。
【００５３】
0006839769.tif 000023
【００５４】
最後に、以上の４種類の限界確率の大きさに基づいて中圧電力配電回路網閉ループ操作の安全性を定量的に評価することができる。限界確率がいずれも５％より小さい場合、閉ループ操作の安全性が高いと認められてもよく、そうでない場合、この閉ループ操作の安全性が保証されず、相応する動作形態の調整を行った後に閉ループを行うことを推奨する。
【００５５】
以上のように、本発明は、中圧電力配電回路網閉ループ操作の安全性を評価する方法を提供し、閉ループ定常電流と過渡衝撃電流の限界確率を計算して閉ループ操作の安全性を定量的に評価することにより、実際の負荷点におけるリアルタイム負荷データを取得できないという問題を解決する。当該方法が実際の生産に適用される場合、閉ループ前に、閉ループ操作の安全性に対して素早く有効的な評価を行い、作業員による閉ループ対策の制定に対してサポートを提供することができる。
【００５６】
本発明は、閉ループ給電線の負荷点における負荷をランダム変数と見なし、確率トレンド理論に基づいて閉ループ定常電流と過渡衝撃電流の限界確率を求めて閉ループ操作の安全性を評価し、中圧電力配電回路網閉ループ操作の安全性を定量的に評価することができ、実際の給電線の各負荷点におけるリアルタイム負荷データを取得できないという問題を解決し、さらに、従来の数値方法においてキュムラントを求める時に入力変数の確率分布関数が知られる必要がある問題を解決することができる。
【００５７】
関連技術と比べ、本発明の有益な効果は、以下の通りである。
【００５８】
（１）本発明は、閉ループ操作による閉ループ定常電流と過渡衝撃電流の計算によって、中圧電力配電回路網閉ループ操作の安全性を定量的に評価し、且つ評価結果が理論的な依拠を有し、作業員による閉ループ操作に対して参照を提供することができる。
【００５９】
（２）本発明は、閉ループ給電線の負荷点における負荷をランダム変数として、確率トレンド理論に基づいて閉ループ定常電流と過渡衝撃電流の確率分布特性を求めることで、負荷点におけるリアルタイム負荷データを取得できないという問題を解決することができる。
【００６０】
（３）本発明は、歴史負荷データに対する分析によって入力変数の多段キュムラントを求めることで、従来の数値方法においてキュムラントを求める時に入力変数の確率分布関数を知る必要があるという問題を解決することができる。
【００６１】
本発明は、２０１８年６月５日にて中国専利局へ提出された出願番号２０１８１０５６８１０４．０の中国専利出願について優先権を主張し、当該出願のすべての内容を本発明に援用する。
【図１】
0006839769.tif 000033
【図２】
0006839769.tif 000034
【図３】
0006839769.tif 000035